(57)【要約】【課題】音声等のデータ通信において、送信されてくるデータを再生すると共に、送信元におけるエコーの発生の抑制を、大幅な設計変更を伴わずに実現可能なデータ通信再生装置、データ通信再生方法及びデータ通信再生プログラムを提供する。【解決手段】データの通信及び再生を行うデータ通信再生装置において、１チャンネルのデータを受信データとして受信し、受信データの位相を反転した逆位相データを生成し、受信データ及び逆位相データから成る２チャンネルの拡張データを生成する逆位相付加部と、拡張データが混在する２チャンネルの再生データを記憶する再生データ記憶部と、再生データ記憶部に記憶された再生データを再生するデータ再生部と、再生データの両チャンネルのデータを合成して１チャンネルの送信データを生成し送信するデータ合成部とを備える。【選択図】図２
2019096937.tif 000002
【特許請求の範囲】
【請求項１】
データの通信及び再生を行うデータ通信再生装置において、
１チャンネルのデータを受信データとして受信し、前記受信データの位相を反転した逆位相データを生成し、前記受信データ及び前記逆位相データから成る２チャンネルの拡張データを生成する逆位相付加部と、
前記拡張データが混在する２チャンネルの再生データを記憶する再生データ記憶部と、
前記再生データ記憶部に記憶された前記再生データを再生するデータ再生部と、
前記再生データの両チャンネルのデータを合成して１チャンネルの送信データを生成し送信するデータ合成部とを備えることを特徴とするデータ通信再生装置。
【請求項２】
前記受信データがデジタル信号であり、
前記逆位相付加部が、前記受信データの符号を反転することにより、前記逆位相データを生成する請求項１に記載のデータ通信再生装置。
【請求項３】
前記データ合成部が、
前記再生データの両チャンネルのデータを加算して前記送信データを生成する請求項１又は２に記載のデータ通信再生装置。
【請求項４】
データの通信及び再生を行うデータ通信再生方法において、
１チャンネルのデータを受信データとして受信し、前記受信データの位相を反転した逆位相データを生成し、前記受信データ及び前記逆位相データから成る２チャンネルの拡張データを生成する逆位相付加ステップと、
前記拡張データが混在する２チャンネルの再生データを記憶する再生データ記憶ステップと、
前記再生データ記憶ステップで記憶された前記再生データを再生するデータ再生ステップと、
前記再生データの両チャンネルのデータを合成して１チャンネルの送信データを生成し送信するデータ合成ステップとを有することを特徴とするデータ通信再生方法。
【請求項５】
前記受信データがデジタル信号であり、
前記逆位相ステップでは、前記受信データの符号を反転することにより、前記逆位相データを生成する請求項４に記載のデータ通信再生方法。
【請求項６】
前記データ合成ステップでは、
前記再生データの両チャンネルのデータを加算して前記送信データを生成する請求項４又は５に記載のデータ通信再生方法。
【請求項７】
請求項４乃至６のいずれかに記載のデータ通信再生方法を実行するためのデータ通信再生プログラム。
【発明の詳細な説明】
【技術分野】
【０００１】
本発明は、音声等のデータの通信及び再生を行うデータ通信再生技術に関し、特に送信元のデータを再生すると共に、当該データに起因して発生するエコーを除去する技術に関する。
【背景技術】
【０００２】
近年、教育界ではアクティブ・ラーニングという言葉がホットなキーワードとなっており、アクティブ・ラーニング型授業が大学を中心に取り入れられている。アクティブ・ラーニングは能動的学習と訳され、学ぶ姿勢や態度が受動的ではなく、能動的であることを意味している。このアクティブ・ラーニングを実践する授業がアクティブ・ラーニング型授業であり、このような授業をサポートする製品が販売されている。
【０００３】
アクティブ・ラーニング型授業をサポートする製品として、ＰＣ（Personal  Computer）やタブレット型端末等のＩＴ（Information  Technology）機器を使用するものがある。これらの製品では、教師と生徒それぞれに１人１台でＩＴ機器、例えばＰＣを配置し、教師と生徒で情報を共有すべく、教師用のＰＣ（以下、「教師ＰＣ」とする）と生徒用のＰＣ（以下、「生徒ＰＣ」とする）との間で、或いは生徒ＰＣ間で音声や画像等のデータの通信を行っている。通信されるデータの内、音声データに関しては、個別指導も想定して出力機器としてヘッドホンを使用し、生徒の音声だけではなく生徒が聞いている教材音声等も教師が聴取できるように、マイクからの音声（以下、「マイク音声」とする）以外のデータも通信されることがある。
【０００４】
ＰＣにおけるＰＣで再生された音声等の取得では、一般的に、再生用のデバイスバッファから取得するループバック・キャプチャ機能が使用される。即ち、ＰＣで再生された音声や他のＰＣから送信されてくる音声データ等は再生用のデバイスバッファに格納され、このデバイスバッファからデータを取得する。
【０００５】
このループバック・キャプチャ機能を使用して、教師ＰＣから生徒ＰＣにマイク音声を送信し、生徒ＰＣでそのマイク音声を再生すると共に、生徒ＰＣの音声データを教師ＰＣに送信し、その音声データを教師ＰＣで再生する場合、エコーが発生することがある。つまり、教師ＰＣから送信されるマイク音声は生徒ＰＣのデバイスバッファに格納され、その時に生徒ＰＣで再生されている教材音声等もデバイスバッファに格納されており、それらとマイク音声が合わさって音声データとし教師ＰＣに送信されるので、教師ＰＣでは、自身が送信したマイク音声がタイムラグを持って再生され、これがエコーとなる。
【０００６】
このようなエコー或いはノイズをキャンセルする方法は、従来から種々提案されている。例えば、特開平９−３３１３７７号公報（特許文献１）に記載のノイズキャンセル回路では、音声信号入力手段と雑音信号入力手段が用意され、雑音信号入力手段から入った音声信号を位相反転し、位相反転した信号と音声入力手段からの音声信号を合成することにより周辺の雑音を消去し、聞き手に送信している。この特許文献１の方法を上記の教師ＰＣでのエコーのキャンセルに応用しようとすると、教師ＰＣのマイク音声を雑音と見做し、生徒ＰＣでの再生用のデバイスバッファに格納される音声データを音声入力手段からの音声信号と見做して、キャンセル処理を行うことになる。
【先行技術文献】
【特許文献】
【０００７】
【特許文献１】特開平９−３３１３７７号公報
【発明の概要】
【発明が解決しようとする課題】
【０００８】
しかしながら、上記のように特許文献１を応用するためには、生徒ＰＣにおいて、音声信号入力手段に相当する再生用のデバイスの他に、雑音信号入力手段に相当する別のデバイスが必要となり、更に、その別のデバイスのバッファに雑音に相当する教師ＰＣのマイク音声を格納し、そのバッファからマイク音声を取得するための大幅な設計変更が必要となる。
【０００９】
本発明は上述のような事情よりなされたものであり、本発明の目的は、音声等のデータ通信において、送信されてくるデータを再生すると共に、送信元におけるエコーの発生の抑制を、大幅な設計変更を伴わずに実現可能なデータ通信再生装置、データ通信再生方法及びデータ通信再生プログラムを提供することにある。
【課題を解決するための手段】
【００１０】
本発明は、データの通信及び再生を行うデータ通信再生装置に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加部と、前記拡張データが混在する２チャンネルの再生データを記憶する再生データ記憶部と、前記再生データ記憶部に記憶された前記再生データを再生するデータ再生部と、前記再生データの両チャンネルのデータを合成して１チャンネルの送信データを生成し送信するデータ合成部とを備えることにより達成される。
【００１１】
また、本発明は、データの通信及び再生を行うデータ通信再生方法に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加ステップと、前記拡張データが混在する２チャンネルの再生データを記憶する再生データ記憶ステップと、前記再生データ記憶ステップで記憶された前記再生データを再生するデータ再生ステップと、前記再生データの両チャンネルのデータを合成して１チャンネルの送信データを生成し送信するデータ合成ステップとを有することにより達成される。
【００１２】
本発明の上記目的は、前記受信データがデジタル信号であり、前記逆位相付加部又は前記逆位相ステップでは、前記受信データの符号を反転することにより、前記逆位相データを生成することにより、或いは、前記データ合成部又は前記データ合成ステップでは、前記再生データの両チャンネルのデータを加算して前記送信データを生成することにより、より効果的に達成される。
【００１３】
さらに、本発明の上記目的は、上記のデータ通信再生方法を実行するためのデータ通信再生プログラムにより達成される。
【発明の効果】
【００１４】
本発明のデータ通信再生装置、データ通信再生方法及びデータ通信再生プログラムによれば、１チャンネルの受信データの位相を反転した逆位相データに基づいてデータの再生及び送信を行うことにより、大幅な設計変更を伴うことなく、データの再生とエコーの発生の抑制を行うことができる。
【図面の簡単な説明】
【００１５】
【図１】本発明の処理内容と従来の処理内容を簡略化して示したイメージ図である。
【図２】本発明の構成例を示すブロック図である。
【図３】アナログ信号からデジタル信号への変換方法を説明する図である。
【図４】本発明の動作例を示すフローチャートである。
【図５】教師ＰＣと生徒ＰＣ間でのデータの流れを示すイメージ図である。
【図６】教師ＰＣ及び生徒ＰＣで生成されるデータの内容を示すイメージ図である。
【発明を実施するための形態】
【００１６】
本発明では、ＰＣ等のＩＴ機器間で音声等のデータ（以下、総称して「音声データ」とする）を通信し再生する際に発生するエコーを、既存の構成に大幅な設計変更を加えることなく、抑制する。通常、ＰＣ等では１つの音源からなる１チャンネル（モノラル）の音声データ、又は２つの音源からなる２チャンネル（ステレオ）の音声データを再生し、通信する際は同じチャンネル数の音声データを通信する。しかし、本発明では、再生時は２チャンネルの音声データ（再生データ）を再生するが、通信時は１チャンネルの音声データを通信する。そのため、音声データを送信する際には、２チャンネルの音声データ中の両チャンネルのデータを合成し、１チャンネルの音声データ（送信データ）に変換して送信する。受信した１チャンネルの音声データを再生する際には、受信した音声データ（受信データ）の位相を反転させた音声データ（逆位相データ）を生成し、受信データと逆位相データを別々のチャンネルに割り当てた２チャンネルの音声データ（拡張データ）として再生する。受信データを受信する機器が有する音源から出力される２チャンネルの音声データ（以下、「自己データ」とする）は、そのまま２チャンネルの音声データとして再生される。これら再生される自己データ及び拡張データを送信するときには、両データが混在した２チャンネルの音声データを１チャンネルの音声データに変換して送信することになるが、自己データについては通常通り２チャンネルの音声データが１チャンネルの音声データに変換されるだけであるが、拡張データについては両チャンネルのデータを合成することにより値が相殺されることになる。よって、実質的には自己データのみが送信されることになるので、受信データを送信した機器ではエコーが抑制される。なお、再生データは基本的にはヘッドホンから出力され、回り込みによる自己データへの再生データの重畳はないが、再生データをスピーカーから出力する場合でも、回り込む再生データは別の手段で消去し、自己データへの重畳はないようにして、エコー抑制をサポートすることも可能である。
【００１７】
上述の処理を簡略化して説明したものを図１に示す。図１では、受信データを正弦波とし、自己データ中の両チャンネルのデータは受信データとは異なる周波数の同じ正弦波であるとしており、比較のために、拡張データの両チャンネルに同じ受信データを割り当てた場合のデータを図１（Ａ）に示し、本発明である逆位相データを割り当てた場合のデータを図１（Ｂ）に示す。図１において、「左」は左チャンネル、「右」は右チャンネルを示しており、図１（Ｂ）では、拡張データの右チャンネルに逆位相データを割り当てている。図１（Ａ）に示される逆位相データを使用しない場合は、左チャンネルと右チャンネルとでは同じ受信データ及び自己データが混在（加算）して再生データとなるので、再生データの両チャンネルのデータも同じデータであり、この両チャンネルのデータから送信データが合成されるので、送信データ中に受信データの内容が残ったままになる。一方、図１（Ｂ）に示される逆位相データを使用する場合は、再生データの左チャンネルには受信データが混在し、右チャンネルには逆位相データが混在しているので、この両チャンネルのデータを合成すると、受信データと逆位相データとが相殺するので、送信データは自己データと同じになる。
【００１８】
なお、通信時が１チャンネルの音声データであれば、再生時は２より多いチャンネル数の音声データであっても良い。この場合、拡張データにおいては、任意の２つのチャンネルに受信データ及び逆位相データを割り当て、その他のチャンネルには値がゼロのデータを格納する。
【００１９】
以下に、本発明の実施の形態を、図面を参照して説明する。
【００２０】
図２に本発明に係るデータ通信再生装置の構成例を示しており、本構成例のデータ通信再生装置１は、逆位相付加部１０、データ混在部２０、再生データ記憶部３０、データ再生部４０及びデータ合成部５０を備える。
【００２１】
データ通信再生装置１が受信する受信データＤｒはデジタル信号である。音声データの中には元々デジタル信号として生成されるデータもあるが、マイク音声等は、ＰＣＭ（Pulse  Code  Modulation）方式等を用いてアナログ信号からデジタル信号に変換される。ＰＣＭ方式では、図３に示されるように、アナログ信号の振幅を一定の間隔（サンプリング周期）毎に８ビットや１６ビット等の精度で数値化（量子化）して、デジタル信号に変換する。通常、デジタル信号は符号付数値で表現され、この場合、アナログ信号の最大値を１とすると、デジタル信号は１／２（ビット数−１）の間隔で数値化される。デジタル信号の位相の反転は、符号を逆にすることにより行うことができる。本実施形態では、デジタル信号は１６ビットの符号付数値で表現されるものとする。
【００２２】
逆位相付加部１０は、受信データＤｒを入力し、受信データＤｒから逆位相データＤａを生成し、受信データＤｒと逆位相データＤａから拡張データＤｘを生成する。受信データＤｒはデジタル信号であるから、受信データＤｒの符号を反転したものを逆位相データＤａとする。そして、受信データＤｒと逆位相データＤａを別々のチャンネル、例えば受信データＤｒを左チャンネルに、逆位相データＤａを右チャンネルに割り当てることにより、２チャンネルの拡張データＤｘを生成する。
【００２３】
データ混在部２０は、拡張データＤｘ及びデータ通信再生装置１が有する音源（以下、「自己音源」とする）から出力される自己データＤｓを入力し、これらを混在して再生データＤｐを生成する。拡張データＤｘ及び自己データＤｓは共に２チャンネルのデジタル信号であるから、拡張データＤｘの左チャンネルのデータと自己データＤｓの左チャンネルのデータを加算して再生データＤｐの左チャンネルのデータとし、拡張データＤｘの右チャンネルのデータと自己データＤｓの右チャンネルのデータを加算して再生データＤｐの右チャンネルのデータとする。自己音源から自己データＤｓが出力されていない場合は、拡張データＤｘがそのまま再生データＤｐとなる。
【００２４】
再生データ記憶部３０は、データ混在部２０から出力される再生データＤｐを記憶する。例えばＰＣの場合、再生用のデバイスバッファが再生データ記憶部３０に相当する。
【００２５】
データ再生部４０は、再生データ記憶部３０に記憶されている再生データＤｐを読み出し、ヘッドホン等を介して外部に出力する。再生データＤｐを出力する際に、ゲインを乗算する等により、再生データＤｐの大きさを調整するようにしても良い。
【００２６】
データ再生部４０から読み出される再生データＤｐは、データ合成部５０にも入力される。データ合成部５０は、２チャンネルの再生データＤｐから１チャンネルの送信データＤｔを生成し、送信する。具体的には、再生データＤｐの左チャンネルのデータと右チャンネルのデータを加算し、送信データＤｔとする。
【００２７】
このような構成において、本実施形態の動作例を図４のフローチャートを参照して説明する。
【００２８】
データ通信再生装置１は受信した受信データＤｒを逆位相付加部１０に入力し、自己音源からの自己データＤｓをデータ混在部２０に入力する（ステップＳ１０）。
【００２９】
逆位相付加部１０は、受信データＤｒの符号を反転することにより逆位相データＤａを生成し（ステップＳ２０）、受信データＤｒ及び逆位相データＤａをそれぞれ左チャンネル及び右チャンネルに割り当てることにより、拡張データＤｘを生成し（ステップＳ３０）、データ混在部２０に出力する。
【００３０】
データ混在部２０は、自己データＤｓ及び拡張データＤｘを加算し、再生データＤｐを生成する（ステップＳ４０）。再生データＤｐは再生データ記憶部３０に記憶される（ステップＳ５０）。
【００３１】
再生データ記憶部３０に記憶された再生データＤｐはデータ再生部４０及びデータ合成部５０に読み出され、データ再生部４０は再生データＤｐを外部に出力する（ステップＳ６０）。データ合成部５０は、再生データＤｐの両チャンネルのデータを加算し、送信データＤｔとして出力する（ステップＳ７０）。
【００３２】
以上の動作が一定の間隔（サンプリング周期）で繰り返される。なお、データ再生部４０の動作及びデータ合成部５０の動作は、順番が逆でも、同時に実行されても良い。
【００３３】
本実施形態を生徒ＰＣに応用した場合の音声データの内容について、図５及び図６を参照して説明する。本説明では、図５に示されるように、教師ＰＣの音声データが受信データとして生徒ＰＣに送信され、生徒ＰＣの音声データが送信データとして教師ＰＣに送信される場合を想定する。教師ＰＣ及び生徒ＰＣで再生する音声データはステレオ（２チャンネル）データで、各チャンネルのデータは２バイト（１６ビット）のデジタル信号である。また、再生データ記憶部３０として、再生用のデバイスバッファを使用する。なお、図６において、Ｌは教師ＰＣでの音声データの左チャンネルのデータ、Ｒは教師ＰＣでの音声データの右チャンネルのデータ、ｌは生徒ＰＣでの自己データの左チャンネルのデータ、ｒは生徒ＰＣでの自己データの右チャンネルのデータを表わす。
【００３４】
先ず、教師ＰＣにおいて、デバイスバッファに記憶された音声データをキャプチャ（獲得）する（図５の［１］）。この場合の音声データは、図６（Ａ）に示されるように、左チャンネルのデータ（Ｌ）と右チャンネルのデータ（Ｒ）が交互に並んだ形となる。この音声データを１チャンネルに合成して、受信データとして生徒ＰＣに送信する（図５の［２］）。この場合の受信データは、図６（Ｂ）に示されるように、左チャンネルのデータと右チャンネルのデータを加算したデータ（Ｌ＋Ｒ）が並んだ形となる。
【００３５】
生徒ＰＣは、図６（Ｂ）で示される受信データを受信し（図５の［３］）、受信データから逆位相データを生成し、受信データ及び逆位相データから拡張データを生成する（図５の［４］）。この場合の拡張データは、図６（Ｃ）に示されるように、加算したデータ（Ｌ＋Ｒ）と加算したデータの符号を反転したデータ（−（Ｌ＋Ｒ））が交互に並んだ形となる。
【００３６】
更に、生徒ＰＣは、図６（Ｃ）で示される拡張データに自己データを混在して再生データを生成し、デバイスバッファに記憶する。この場合の再生データは、図６（Ｄ）に示されるように、拡張データの左チャンネルのデータ（Ｌ＋Ｒ）に自己データの左チャンネルのデータ（ｌ）を加算したデータ（ｌ＋（Ｌ＋Ｒ））と、拡張データの右チャンネルのデータ（−（Ｌ＋Ｒ））に自己データの右チャンネルのデータ（ｒ）を加算したデータ（ｒ−（Ｌ＋Ｒ））とが交互に並んだ形となる。
【００３７】
そして、生徒ＰＣは、デバイスバッファに記憶された再生データをキャプチャし（図５の［５］）、再生データを再生すると共に、再生データの両チャンネルのデータを加算して送信データを生成し、教師ＰＣに送信する。この場合の送信データは、図６（Ｅ）に示されるように、自己データの左チャンネルのデータ（ｌ）と右チャンネルのデータ（ｒ）を加算したデータ（ｌ＋ｒ）が並んだ形となり、教師ＰＣから送信された音声データは消去されている。
【００３８】
教師ＰＣは、図６（Ｅ）で示される送信データは受信し（図５の［７］）、同じ送信データを左右両チャンネルに割り振り、再生する（図５の［８］）。この場合の再生されるデータは、図６（Ｆ）に示されるように、加算したデータ（ｌ＋ｒ）が両チャンネルに割り振られ、交互に並んだ形となる。
【００３９】
このように、本実施形態では、受信データの位相を反転した逆位相データを１つのチャンネルに割り振るだけの処理でエコーを抑えることができるので、既存の構成に大幅な設計変更を加える必要がなく、また、再生時も位相を反転させただけの逆位相データを使用するので、違和感を抑えた再生が可能である。
【００４０】
上述の実施形態は、再生データ記憶部３０をメモリとして、それ以外の構成要素の処理をプログラムとして実現することにより、コンピュータとメモリの構成で実現可能である。各構成要素は専用ＩＣ（Integrated  Circuit）やＦＰＧＡ（Field  Programmable  Gate  Array）等のハードウェアでも実現可能である。また、データ通信再生装置１が受信する受信データはデジタル信号であるが、アナログ信号であっても良く、位相反転やデータの加算をアナログ信号に対して行っても良い。或いは、処理の途中段階でＡＤ（Analog  to  Digital）変換及び／又はＤＡ（Digital  to  Analog）変換を挿入し、アナログ信号に対する処理とデジタル信号に対する処理を混在させても良い。
【００４１】
なお、本発明は上記形態に限定されるものではなく、本発明の要旨を逸脱しない範囲で種々の変形が可能である。
【符号の説明】
【００４２】
１                        データ通信再生装置
１０                      逆位相付加部
２０                      データ混在部
３０                      再生データ記憶部
４０                      データ再生部
５０                      データ合成部
【図１】
2019096937.tif 000003
【図２】
2019096937.tif 000004
【図３】
2019096937.tif 000005
【図４】
2019096937.tif 000006
【図５】
2019096937.tif 000007
【図６】
2019096937.tif 000008
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
データの通信及び再生を行うデータ通信再生装置において、
１チャンネルのデータを受信データとして受信し、前記受信データの位相を反転した逆位相データを生成し、前記受信データ及び前記逆位相データから成る２チャンネルの拡張データを生成する逆位相付加部と、
前記拡張データ及び自己データを混在して２チャンネルの再生データを生成するデータ混在部と、
前記再生データを記憶する再生データ記憶部と、
前記再生データ記憶部に記憶された前記再生データを再生するデータ再生部と、
前記再生データの両チャンネルのデータを合成することにより前記拡張データの値を相殺して１チャンネルの送信データを生成し送信するデータ合成部とを備えることを特徴とするデータ通信再生装置。
【請求項２】
前記受信データがデジタル信号であり、
前記逆位相付加部が、前記受信データの符号を反転することにより、前記逆位相データを生成する請求項１に記載のデータ通信再生装置。
【請求項３】
前記データ合成部が、
前記再生データの両チャンネルのデータを加算して前記送信データを生成する請求項１又は２に記載のデータ通信再生装置。
【請求項４】
データの通信及び再生を行うデータ通信再生方法において、
１チャンネルのデータを受信データとして受信し、前記受信データの位相を反転した逆位相データを生成し、前記受信データ及び前記逆位相データから成る２チャンネルの拡張データを生成する逆位相付加ステップと、
前記拡張データ及び自己データを混在して２チャンネルの再生データを生成するデータ混在ステップと、
前記再生データを記憶する再生データ記憶ステップと、
前記再生データ記憶ステップで記憶された前記再生データを再生するデータ再生ステップと、
前記再生データの両チャンネルのデータを合成することにより前記拡張データの値を相殺して１チャンネルの送信データを生成し送信するデータ合成ステップとを有することを特徴とするデータ通信再生方法。
【請求項５】
前記受信データがデジタル信号であり、
前記逆位相ステップでは、前記受信データの符号を反転することにより、前記逆位相データを生成する請求項４に記載のデータ通信再生方法。
【請求項６】
前記データ合成ステップでは、
前記再生データの両チャンネルのデータを加算して前記送信データを生成する請求項４又は５に記載のデータ通信再生方法。
【請求項７】
請求項４乃至６のいずれかに記載のデータ通信再生方法を実行するためのデータ通信再生プログラム。
【手続補正２】
【補正対象書類名】明細書
【補正対象項目名】００１０
【補正方法】変更
【補正の内容】
【００１０】
本発明は、データの通信及び再生を行うデータ通信再生装置に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加部と、前記拡張データ及び自己データを混在して２チャンネルの再生データを生成するデータ混在部と、前記再生データを記憶する再生データ記憶部と、前記再生データ記憶部に記憶された前記再生データを再生するデータ再生部と、前記再生データの両チャンネルのデータを合成することにより前記拡張データの値を相殺して１チャンネルの送信データを生成し送信するデータ合成部とを備えることにより達成される。
【手続補正３】
【補正対象書類名】明細書
【補正対象項目名】００１１
【補正方法】変更
【補正の内容】
【００１１】
また、本発明は、データの通信及び再生を行うデータ通信再生方法に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加ステップと、前記拡張データ及び自己データを混在して２チャンネルの再生データを生成するデータ混在ステップと、前記再生データを記憶する再生データ記憶ステップと、前記再生データ記憶ステップで記憶された前記再生データを再生するデータ再生ステップと、前記再生データの両チャンネルのデータを合成することにより前記拡張データの値を相殺して１チャンネルの送信データを生成し送信するデータ合成ステップとを有することにより達成される。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
データの通信及び再生を行うデータ通信再生装置において、
１チャンネルのデータを受信データとして受信し、前記受信データの位相を反転した逆位相データを生成し、前記受信データ及び前記逆位相データから成る２チャンネルの拡張データを生成する逆位相付加部と、
前記拡張データ及び２チャンネルの自己データをチャンネル毎に混在して２チャンネルの再生データを生成するデータ混在部と、
前記再生データを記憶する再生データ記憶部と、
前記再生データ記憶部に記憶された前記再生データを、前記自己データが混在した状態で再生するデータ再生部と、
前記再生データの両チャンネルのデータを合成することにより前記拡張データの値を相殺して１チャンネルの送信データを生成し送信するデータ合成部とを備えることを特徴とするデータ通信再生装置。
【請求項２】
前記受信データがデジタル信号であり、
前記逆位相付加部が、前記受信データの符号を反転することにより、前記逆位相データを生成する請求項１に記載のデータ通信再生装置。
【請求項３】
前記データ合成部が、
前記再生データの両チャンネルのデータを加算して前記送信データを生成する請求項１又は２に記載のデータ通信再生装置。
【請求項４】
データの通信及び再生を行うデータ通信再生方法において、
１チャンネルのデータを受信データとして受信し、前記受信データの位相を反転した逆位相データを生成し、前記受信データ及び前記逆位相データから成る２チャンネルの拡張データを生成する逆位相付加ステップと、
前記拡張データ及び２チャンネルの自己データをチャンネル毎に混在して２チャンネルの再生データを生成するデータ混在ステップと、
前記再生データを記憶する再生データ記憶ステップと、
前記再生データ記憶ステップで記憶された前記再生データを、前記自己データが混在した状態で再生するデータ再生ステップと、
前記再生データの両チャンネルのデータを合成することにより前記拡張データの値を相殺して１チャンネルの送信データを生成し送信するデータ合成ステップとを有することを特徴とするデータ通信再生方法。
【請求項５】
前記受信データがデジタル信号であり、
前記逆位相ステップでは、前記受信データの符号を反転することにより、前記逆位相データを生成する請求項４に記載のデータ通信再生方法。
【請求項６】
前記データ合成ステップでは、
前記再生データの両チャンネルのデータを加算して前記送信データを生成する請求項４又は５に記載のデータ通信再生方法。
【請求項７】
請求項４乃至６のいずれかに記載のデータ通信再生方法を実行するためのデータ通信再生プログラム。
【手続補正２】
【補正対象書類名】明細書
【補正対象項目名】００１０
【補正方法】変更
【補正の内容】
【００１０】
本発明は、データの通信及び再生を行うデータ通信再生装置に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加部と、前記拡張データ及び２チャンネルの自己データをチャンネル毎に混在して２チャンネルの再生データを生成するデータ混在部と、前記再生データを記憶する再生データ記憶部と、前記再生データ記憶部に記憶された前記再生データを、前記自己データが混在した状態で再生するデータ再生部と、前記再生データの両チャンネルのデータを合成することにより前記拡張データの値を相殺して１チャンネルの送信データを生成し送信するデータ合成部とを備えることにより達成される。
【手続補正３】
【補正対象書類名】明細書
【補正対象項目名】００１１
【補正方法】変更
【補正の内容】
【００１１】
また、本発明は、データの通信及び再生を行うデータ通信再生方法に関し、本発明の上記目的は、１チャンネルのデータを受信データとして受信し、前記受信データの位相を反転した逆位相データを生成し、前記受信データ及び前記逆位相データから成る２チャンネルの拡張データを生成する逆位相付加ステップと、前記拡張データ及び２チャンネルの自己データをチャンネル毎に混在して２チャンネルの再生データを生成するデータ混在ステップと、前記再生データを記憶する再生データ記憶ステップと、前記再生データ記憶ステップで記憶された前記再生データを、前記自己データが混在した状態で再生するデータ再生ステップと、前記再生データの両チャンネルのデータを合成することにより前記拡張データの値を相殺して１チャンネルの送信データを生成し送信するデータ合成ステップとを有することにより達成される。